(57)【要約】【課題】直列ユニットに対して、工事人が異なる信号入力用の２本のケーブルを接続するとき、薄暗い工事現場であって、ＩＮ、ＯＵＴの表示が見えにくい場合、入力と出力端子との位置関係の感覚的な違いによって、何れの出力端子に対する入力端子かを感覚的に区別することができるようにする。【解決手段】筺体の前側面に配置された２つの出力端子は、相互に上下方向に離間させ、筺体の後側に配置された２つの入力端子は、一方を比較的上方寄りで上記上方の出力端子に近づく位置に配置し、他方は、上記一方の入力端子よりも比較的下方寄りで、上記下方の出力端子に近づく位置に配置した。【選択図】        図１
2004304562.tif 000002
【特許請求の範囲】
【請求項１】
電子回路を収納する為の電子回路収納室を有する筺体と、筺体の前側面に配置された２つの出力端子と、筺体の後側に配置された２つの入力端子とを備える直列ユニットにおいて、
上記筺体の前側面に配置された２つの出力端子は、相互に上下方向に離間させて配置し、上記筺体の後側に配置された２つの入力端子は、相互に左右方向に離間させると共に、一方の入力端子は、比較的上方寄りで上記上方の出力端子に近づく位置に配置し、かつ前側面の上方位置にある出力端子に対して上記電子回路収納室に収納された電子回路を介して接続し、他方の入力端子は、上記一方の入力端子よりも比較的下方寄りで、上記下方の出力端子に近づく位置に配置し、かつ前側面の下方位置にある出力端子に対して、上記電子回路収納室における電子回路を介して接続したことを特徴とする直列ユニット。
【発明の詳細な説明】
【０００１】
【発明の属する技術分野】
本発明は、直列ユニットに関し、詳しくは筺体の前側面に配置された２つの出力端子と、筺体の後側に配置された２つの入力端子とを備える直列ユニットに関する。
【０００２】
【従来の技術】
従来より周知のように複数の信号に係るグループ（例えばＶＨＦ〜ＣＳ（７０〜２６００ＭＨｚ）の第１グループ、スカイＨ〜スカイＶ（５３８〜２５８０ＭＨｚ）の第２グループ）の信号の内から夫々１つの信号を選択的に選んで、夫々１条のケーブルを用いて、１つの直列ユニットに異質の２つの信号を送りこむシステムは「２条配線」として、あるいは、「２入力２出力配線」として知られている。
上記２条配線に用いられる直列ユニットは、特許文献１に示されるように、電子回路を収納する為の電子回路収納室を有する筺体の前側面に２つの出力端子を配置し、筺体の後側に２つの入力端子を配置して構成してある。
そして、一方の入力端子は、一方の出力端子に対して上記電子回路収納室に収納された電子回路を介して接続し、他方の入力端子は、他方の出力端子に対して、上記電子回路収納室における電子回路を介して接続している。
【０００３】
【特許文献１】
特開２００２−１７１１８０号公報（図１及びその図１に係る構造の説明）
【０００４】
【発明が解決しようとする課題】
この従来の構成による直列ユニットを「２入力２出力配線」の上記システムに用いると、筺体の後側には２つの入力端子が並置されているので、例えば、一方の入力端子に例えば上記第１グループの信号を送り込む為のケーブルを、他方の入力端子に例えば上記第２グループの信号を送り込む為のケーブルを夫々接続する場合、現場においては筺体内の電子回路の結線状態を視認することができない為、筺体の前側面に配置された２つの出力端子の内、どちらの出力端子へ、２つの異なるグループ信号の内のどちらのグループ信号が出るか分からない不安がある。
その為ケーブル接続後、２つの出力端子について何れのグループの信号が出力されるか、を機器を用いて検査しなければならない煩わしさがある。
また一般には、入力端子の近くに入力信号を表示するシール貼ったり、ＩＮ１，ＩＮ２，ＯＵＴ１，ＯＵＴ２の刻印をしたりして、識別力を高めている。
しかしながら、シールは工事中に剥落して識別力が消滅する危険性がある。刻印の場合は、一般に工事現場は照明装置もなく薄暗い為、刻印を見誤る可能性が極めて高い。刻印を見誤って、一方の入力端子に、間違えて他方の入力端子用の信号を送り込む為のケーブルを誤って接続すると、後日、入居者に大変迷惑をかけることになる問題点があった。
【０００５】
本件出願の直列ユニットは、上記従来技術の問題点を解決する為に提供するものである。
本件出願の目的は、直列ユニットに対して、工事人が上記第１と、第２グループの信号入力用の２本のケーブルを接続するとき、直列ユニットには夫々２個ずつの入力端子と出力端子があって、しかも工事場所には照明装置がなく、薄暗い工事現場であって、ＩＮ１，ＩＮ２，ＯＵＴ１，ＯＵＴ２の表示が見えにくい場所で作業する場合、入力端子と出力端子との位置関係の感覚的な違いによって、何れの出力端子に対する入力端子かを感覚的に区別することができ、接続ミスを減少させ、誤配線を防止できるようにした直列ユニットを提供しようとするものである。
【０００６】
他の目的は、上記第１と、第２グループの信号の内、周波数が近似する互いに異なる信号を２つの入力端子から選択的に取込む状態で、１つの直列ユニットの筺体に入力し、それを夫々入力端子と対をなす出力端子に出力するようにした場合であっても、上記２つの入力端子は予め夫々高さを異ならせることによって、電子回路収納室内の一方の入力用基板と他方の入力用基板との差が形成できるようにして、異種信号の相互干渉を低減し、大きなアイソレーションがとれるようにした直列ユニットを提供しようとするものである。
他の目的及び利点は図面及びそれに関連した以下の説明により容易に明らかになるであろう。
【０００７】
【課題を解決するための手段】
本願発明における直列ユニットは、電子回路を収納する為の電子回路収納室を有する筺体と、筺体の前側面に配置された２つの出力端子と、筺体の後側に配置された２つの入力端子とを備える直列ユニットにおいて、
上記筺体の前側面に配置された２つの出力端子は、相互に上下方向に離間させて配置し、上記筺体の後側に配置された２つの入力端子は、相互に左右方向に離間させると共に、一方の入力端子は、比較的上方寄りで上記上方の出力端子に近づく位置に配置し、かつ前側面の上方位置にある出力端子に対して上記電子回路収納室に収納された電子回路を介して接続し、他方の入力端子は、上記一方の入力端子よりも比較的下方寄りで、上記下方の出力端子に近づく位置に配置し、かつ前側面の下方位置にある出力端子に対して、上記電子回路収納室における電子回路を介して接続したものである。
【０００８】
【発明の実施の形態】
以下本願発明の実施の形態を示す図面について説明する。図１乃至図３において、Ｂは、通常建築物の壁面に埋め込んで用いられている周知のアウトレットボックスの存在を示す。
Ｓは、アウトレットボックスＢの内部に納めた状態の埋込用の直列ユニットを示す。なお直列ユニットとしては埋め込み型に限らず露出型でも良い。
直列ユニットＳは、次に詳細に説明する筺体１を有する。
この筺体１は電子回路を収納する為の電子回路収納室３，６と、前側面に２つの出力端子１０、１１と、筺体１としての電子回路収納室６の後側に２つの入力端子１２、１３を有する。
【０００９】
上記筺体１において、２は、通常周知のダイカスト製法によって一体に塑性的に成形された基体を示す。
基体２の前側面には、２つの出力端子１０，１１が付設されている。
基体２の後側には、電子回路収納室３，６と、２つの入力端子１２，１３が付設されている。
【００１０】
上記基体２の後側に設けられている電子回路収納室３は、上記基体２と一体材であるアルミ材を用いて、図示の如くダイカスト製法によって塑性的に成形された底壁３ｂと、側壁３ｃとを有し、更に側壁３ｃに着脱自在にした導電性を備える材料で形成されている上蓋５とで構成され、シールド構造の電子回路収納室３の内部には空間４を形成している。
上記基体２の後側に設けられている他の電子回路収納室６は、上記基体２と一体材であるアルミ材を用いて、図示の如く基体２の背面を取り囲むようにダイカスト製法によって塑性的に成形された周壁６ｂを有し、更に周壁６ｂに着脱自在にした導電性を備える材料で形成されている後蓋８とで構成され、前記電子回路収納室３と同様にシールド構造の電子回路収納室６の内部には空間７を形成している。
３ａと、６ａは夫々電子回路収納室３と、電子回路収納室６における開口部を示し、成形に際しては金型における中子（内側金型）はこれらの開口部から夫々Ｈ方向及びＤ方向に出入させる。
なお電子回路収納室３、６の内面には、広く知られているように必要に応じて基板支持用の段部９が基体２と一体材で形成され、基板１６、１７、１８を適宜固定し得るようにしてある。
【００１１】
上記筺体１の前側面に配置された２つの出力端子１０，１１は、図示のように相互に上下方向に離間させて配置してある。
出力端子１０，１１は、夫々接栓とも称され、一般的にはテレビジョン受信機等への接続端子として用いられる。
この接栓１０，１１は、周知のように、例えば図１（Ａ）、（Ｂ）に示すように、基体２と一体にダイカスト製法によって突出形成されている中空の外部導体１０ａ，１１ａと、これらの外部導体１０ａ等に挿入される中空の絶縁体と、この絶縁体の中心部に配置された中心導体１０ｂ，１１ｂとから構成される。なお端子１０，１１，１２，１３等は、周知の別体形成してある接栓を装着利用しても良い。
【００１２】
１２、１３は入力端子で、夫々上記の端子１１，１２と同様に接栓とも称され、一般的にはテレビジョン受信機に向けての信号等、その他、双方向通信等の上り下りの信号の接続端子として用いられる型式のものである。
１２、１３の入力端子は筺体１の後側、即ち、電子回路収納室６の後側に対して、図示のように相互に左右方向に向けて通常行われるケーブル接続作業に支障をもたらさないような距離Ｗ１だけ離間させて配置してある。
この接栓は、基体２に連なる底壁３ｂと一体にダイカスト製法によって突出形成されている中空の外部導体１２ａ，１３ａと、この外部導体１２ａ等に挿入される中空の絶縁体と、この絶縁体の中心部に配置された中心導体１２ｂ，１３ｂとから構成される。上記の接栓は前述のように別体でも良い。
この接栓１２，１３としての入力端子１２，１３の配設位置は、電子回路収納室６の後側となる電子回路収納室３の下側における図示のような位置に配置される。
入力端子１２，１３の上下方向の位置は、図１（Ａ）、図２によく現れているように、一方の入力端子１２は、比較的上方寄りで、上記上方の出力端子１０に対して「ｈ１」の距離を残して近づく位置に配置してある。そして前側面の上方位置にある出力端子１０に対して上記電子回路収納室３に収納された電子回路１６を介して接続してある。
他方の入力端子１３は、上記一方の入力端子１２よりも比較的下方寄り、例えば図示のように「ｈ３」の距離だけ差を持たせて、上記下方の出力端子１１に対して「ｈ２」の距離を残して近づく位置に配置してある。そして前側面の下方位置にある出力端子１１に対して、上記電子回路収納室３、６における電子回路１７，１８を介して接続してある。
【００１３】
１６は、電子回路収納室３に収納された電子回路を示し、必要に応じて要求される高周波特性に応じた電子回路が配置させてある。電子回路の最も単純な例としては高周波を伝達する導線が配置される。
図３において、符号２５で示す一点鎖線は、入力端子１２と上方の出力端子１０の間に電子回路が存在していることを示す。
１７は、電子回路収納室３に収納された電子回路を示し、高周波特性に応じた電子回路が配置させてある。
電子回路の最も単純な例としては高周波を伝達する導線が配置される。
１８は、電子回路収納室６に収納された電子回路を示し、必要に応じて要求される高周波特性に応じた電子回路が配置させてある。電子回路の最も単純な例としては高周波を伝達する導線が配置される。
１８ａは、出力端子１１と入力端子１３とを高周波的に結ぶ導体を示す。
【００１４】
上記構成のものにあっては、アウトレットボックスＢの内部に埋込用の直列ユニットを装着するに先立って、上記筺体１の後側に配置された２つの入力端子１２，１３に対して夫々上記第１グループと、第２グループの信号を送り込む為に２つの入力端子１２，１３に対して夫々一本のケーブルを接続する。
この直列ユニットＳに対して、工事人がケーブルを接続するとき、その工事現場が薄暗い場所にあっては、上記筺体１の前後側面にＩＮ１，ＩＮ２，ＯＵＴ１，ＯＵＴ２の識別の表示があってもこれを判別し難い場合がある。しかしながら、上記構成の直列ユニットＳにあっては、図１、図２から明らかなように出力端子１０に対し入力端子１２の距離「ｈ１」は、入力端子１２から出力端子１１に対する距離「ｈ３＋ｈ２」よりも著しく短くて、その入力端子１２は、上方寄りで、上方の出力端子１０に近くなっている。従って、照明装置もなく薄暗い工事現場であって、ＩＮ１，ＩＮ２，ＯＵＴ１，ＯＵＴ２の識別の表示が見えなくても、出力端子１０に対して入力端子１２の位置関係は感覚的に一対であることを直感的に得ることができる。
【００１５】
他方、上記構成においては２つの入力端子１２，１３の内、出力端子１０に対して入力端子１３は、図面から明らかなように遠く「ｈ１＋ｈ３」の位置にある。しかも入力端子１３は、出力端子１１に対しては、入力端子１２よりも近い位置「ｈ２」にある。
従って、照明装置もなく薄暗い工事現場であって、ＩＮ１，ＩＮ２，ＯＵＴ１，ＯＵＴ２の識別の表示が見えなくても、出力端子１１に対して入力端子１３の位置関係は感覚的に一対であることを直感的に得ることができる。
【００１６】
更に上記構成にあっては図２から明らかなように、入力端子１３は、上記入力端子１２よりも比較的下方寄りで、上記下方の出力端子１１に近づく位置に配置することにより、上方に位置する電子回路収納室４における左側の空間は著しく広くなる。
そのことによって、電子回路収納室４内の一方の入力用基板１６と他方の入力用基板１７との距離ｈ４の差が大きく形成できるようになる。また入力用基板１７に備えさせる配線回路においては大きな外形形状の配線素子を装着することが可能になり、複雑な回路構成を可能にする。
【００１７】
上記明細書においては、直列ユニットＳは図１のように上下に長く配置するものとして説明したが、直列ユニットＳを横長に配置する場合は、全明細書における説明における上下の位置関係は左右と読み替えて理解されたい。なお、２１は周知のプラスチック製のボックス取付枠を示す。
【００１８】
【発明の効果】
以上のように本願発明は、直列ユニットＳに対して、工事人がケーブルを接続するとき、その工事現場が薄暗い場所であっても、上記筺体１の後側に並置された２つの入力端子１２，１３は、一方の入力端子１２が、比較的上方寄りで、上記上方の出力端子１０に近づく位置に配置し、他方の入力端子１３は、上記一方の入力端子１２よりも比較的下方寄りで、上記下方の出力端子１１に近づく位置に配置する構成になっているから、工事人の経験あるいは五感によって、上方位置の出力端子１０と、それに近い側の一方の入力端子１２が一対で、下方位置の出力端子１１と、それに近い側の他方の入力端子１３が一対として認識することができる特長がある。
それによって、仮に、照明装置もなく薄暗い工事現場であって、ＩＮ１，ＩＮ２，ＯＵＴ１，ＯＵＴ２の識別の表示が見えなくても、２つの入力端子１２，１３の位置関係の感覚的な違いによって、何れかの出力端子に対する入力端子かを区別することができ、接続ミスを減少させ、誤配線を防止できる作業上の効果がある。
【００１９】
さらに本願発明の構成においては、１つの直列ユニットＳの筺体１に対して、２つの入力端子１２，１３から異なる信号を入力し、それを夫々対をなす２つの出力端子１０，１１に出力するものであって、しかも、その２つの入力端子１２，１３からの信号が相互に干渉しやすいような周波数帯域を持った信号であっても、上記２つの出力端子１０，１１は、相互に上下方向に離間させて配置し、上記２つの入力端子１２，１３は、相互に左右方向に離間させると共に、一方の入力端子１２は、比較的上方寄りで、上記上方の出力端子１０に近づく位置に配置し、他方の入力端子１３は、上記一方の入力端子１２よりも比較的下方寄りで、上記下方の出力端子１１に近づく位置に配置してあり、そのことによって、電子回路収納室４内の一方の入力用基板１６と他方の入力用基板１７との距離ｈ４の差が大きく形成できるようにした構成であるから、一方の入力端子１２から入って一方の出力端子１０に出る信号と、他方の入力端子１３から入って他方の出力端子１１に出る信号とは、相互に大きく距離を異ならしめることができる。
これにより、相互に大きなアイソレーションをとることができる。
従って、ノイズの少ない、高周波特性の良い信号を出力することに貢献できる効果がある。
【図面の簡単な説明】
【図１】（Ａ）は正面図、（Ｂ）はＩ−Ｉ’位置縦断面図。
【図２】図１（Ｂ）のＩＩ−ＩＩ’位置の断面図であって、
直列ユニットにおける電子回路収納室６の裏蓋を除いた状態を示す図。
【図３】図１（Ｂ）のＨ矢印方向から見た電子回路収納室３の上蓋と基板１６，１７を除いた状態の図。
【符号の説明】
Ｓ・・・直列ユニット、１・・・筺体、２・・・基体、３・・・電子回路収納室（上）、３ａ・・・開口部、３ｂ・・・底壁、３ｃ・・・側壁、４・・・電子回路収納室の空間、５・・・上蓋、６・・・電子回路収納室、６ａ・・・開口部、６ｂ・・・周壁、７・・・電子回路収納室の空間、８・・・後蓋、９・・・基盤支持用の段部、１０・・・出力端子、１０ａ・・・外部導体、１０ｂ・・・中心導体、１１・・・出力端子、１１ａ・・・外部導体、１１ｂ・・・中心導体、１２・・・入力端子、１２ａ・・・外部導体、１２ｂ・・・中心導体、１３・・・入力端子、１３ａ・・・外部導体、１３ｂ・・・中心導体、１６・・・基板（電子回路）、１７・・・基板（電子回路）、１８・・・基板（電子回路）、１８ａ・・・導体、２１・・・取付枠、Ｂ・・・アウトレットボックス。
【図１】
2004304562.tif 000003
【図２】
2004304562.tif 000004
【図３】
2004304562.tif 000005